(57)【要約】      （修正有）【課題】マスクを長時間に渡り快適に着用できるように、耳輪への着脱が容易で、かつ耳輪に装着したときに耳輪から外れにくく、耳輪に装着した状態で耳輪の湾曲に追従することが容易な耳輪用カバーを提供する。【解決手段】耳輪用カバー３は、筒状の弾性材に対して、軸方向の切り込み５ａまたは隙間５ｂを１条設け、さらに周方向の切り込み６ａまたは隙間６ｂを、前記切り込み５ａまたは隙間５ｂと交差させるように複数条設けた構造としている。これにより、耳輪２に装着した状態で耳輪用カバー３が前記耳輪２の湾曲に追従しやすく、かつ軸方向の切り込み５ａまたは隙間５ｂが曲線外側に位置するように湾曲しやすいために、耳輪２に装着したときに耳輪用カバー３が前記耳輪２から外れにくい。【選択図】図２
2015051251.tif 000002
【特許請求の範囲】
【請求項１】
筒状の弾性体（４）に対して、軸方向の切り込み（５ａ）または隙間（５ｂ）を一条設け、さらに周方向の切り込み（６ａ）または隙間（６ｂ）を、前記切り込み（５ａ）または隙間（５ｂ）に交差させるように複数条設けた構造の耳輪用カバー（３）
【請求項２】
前記切り込み（５ａ）または隙間（５ｂ）を、両端部付近において曲線形の切り込み（７ａ）または隙間（７ｂ）に変更した、請求項１に記載の耳輪用カバー（３）
【請求項３】
前記切り込み（５ａ）または隙間（５ｂ）を、両端部付近において折れ線形の切り込み（８ａ）または隙間（８ｂ）に変更した、請求項１に記載の耳輪用カバー（３）
【発明の詳細な説明】
【技術分野】
【０００１】  本発明は、マスクを長時間に渡り快適に着用できることを目的とした、マスクの耳輪用カバーに関するものである。
【背景技術】
【０００２】  風邪またはインフルエンザに感染しやすい冬季や、花粉が大量に飛散する春先から初夏にかけて、マスクを長時間着用する機会が多くなる。しかしマスクを長時間着用すると耳輪が耳に食い込み、耳が痛くなって苦痛に感じることが多かった。【０００３】  これへの対処方法として、特許文献１に示すように、耳への食い込みを緩和することができる素材または構造のマスク用耳輪を採用する方法があったが、このような耳輪は一般に高価であるためにマスク本体の製造コストが上昇することになり、十分に普及しているとは言えなかった。【０００４】  また、マスクの耳輪にカバーを装着して、耳輪と耳が直接接触することを避けることにより、耳輪が耳に食い込むことを緩和して耳の苦痛を軽減する方法が考えられるが、これまで着脱が容易で、かつ耳輪から外れにくく、さらに耳輪の湾曲に追従することが容易な耳輪用カバーを提供することが困難であった。【０００５】  例えば特許文献２に示すように、耳輪に装着するための耳輪用カバーの構造を、軸方向の溝を設けた棒状体とすることが考えられるが、耳輪用カバーが耳輪から外れやすく、かつ耳輪の湾曲に対して耳輪用カバーを柔軟に追従させることが困難であると思われる。【０００６】  一方、特許文献３に示すように、耳掛けを耳に装着して、耳輪と耳が直接接触することを避けることにより、耳輪が耳に食い込むことを緩和して耳の苦痛を軽減する方法が考えられるが、耳の形状には個人差があるため、耳掛けを大多数のマスク使用者に合うような形状に成形することが困難であった。
【先行技術文献】
【特許文献】
【０００７】
【特許文献１】  特開２００２−６５８７８号公報
【特許文献２】  特開２００６−２２３７９２号公報
【特許文献３】  実用新案登録第３１７０８７３号公報
【発明の概要】
【発明が解決しようとする課題】
【０００８】  解決しようとする課題は、マスクを着用するときに、耳輪への着脱が容易で、かつ耳輪に装着したときに耳輪から外れにくく、さらに耳輪に装着した状態で耳輪の湾曲に追従することが容易な、耳輪の耳への食い込みを緩和することを目的とした耳輪用カバーを提供することである。
【課題を解決するための手段】
【０００９】  本発明は、マスクの耳輪が耳に食い込むのを緩和することを目的とした耳輪用カバーにおいて、マスクを着用するときに、耳輪への着脱を容易にし、かつ耳輪に装着したときに耳輪から外れにくくし、さらに耳輪に装着した状態で耳輪の湾曲に追従することを容易にするために、耳輪用カバーの構造を、筒状の弾性体に軸方向の切り込みまたは隙間を１条儲け、さらに周方向の切り込みまたは隙間を複数条設けた構造としたことを主要な特徴とする。【００１０】  本発明によるマスクの耳輪用カバー３は、図１に示すように、筒状の弾性材４に対して、軸方向の切り込み５ａまたは隙間５ｂを１条設け、さらに周方向の切り込み６ａまたは隙間６ｂを、前記切り込み５ａまたは隙間５ｂと交差させるように複数条設けた構造としている。【００１１】  耳輪用カバー３は、図２に示すように、周方向の切り込み６ａまたは隙間６ｂを設けたことにより、耳輪２に装着した状態で耳輪２の湾曲に追従しやすいという利点がある。【００１２】  また耳輪用カバー３は、図２に示すように、周方向の切り込み６ａまたは隙間６ｂを設けたことにより、軸方向の切り込み５ａまたは隙間５ｂが曲線外側に位置するように湾曲しやすく、したがってマスク１を着用するために耳輪用カバー３を耳輪２に装着した状態で前記耳輪２を耳に掛けたときに、耳輪用カバー３が耳輪２から外れにくいという利点がある。【００１３】  さらに図３に示すように、耳輪用カバー３の両端部付近において軸方向の切り込み５ａまたは隙間５ｂを曲線形の切り込み７ａまたは隙間７ｂに変更する、あるいは図４に示すように、耳輪用カバー３の両端部付近において前記切り込み５ａまたは隙間５ｂを折れ線形の切り込み８ａまたは隙間８ｂに変更する、などの工夫をすることにより、マスク着用時に耳輪用カバー３が耳輪２から外れる可能性を一層小さくすることができる。
【発明の効果】
【００１４】  本発明によるマスクの耳輪用カバー３は、耳輪２への着脱を可能としたことにより、例えば特殊な形状または構造とした耳輪の採用によるマスク本体の製造コストの上昇を抑えることができ、かつ耳輪用カバー３は繰り返して使用することが可能であるため、長期間使用できて経済的である。【００１５】    また耳輪用カバー３は、耳輪２への着脱が容易であるため便利に使用することができ、かつ耳輪用カバー３を装着することにより耳輪２が耳に食い込むのを緩和できるため、マスクの長時間着用による耳の苦痛を軽減することができる。
【図面の簡単な説明】
【００１６】
【図１】  耳輪用カバーの構造を示した図である。
【図２】  耳輪用カバーがマスクの耳輪に装着された状態を示した図である。
【図３】  軸方向の切り込みまたは隙間を、耳輪用カバーの両端部付近において曲線形に変更した構造を示した図である。
【図４】  軸方向の切り込みまたは隙間を、耳輪用カバーの両端部付近において折れ線形に変更した構造を示した図である。
【図５】  耳輪用カバーを耳輪へ装着する方法の一例を示した図である。
【図６】  耳輪用カバーを耳輪から取り外す方法の一例を示した図である。
【発明を実施するための形態】
【００１７】  耳輪用カバー３の使用は、まず耳輪用カバー３を耳輪２に装着し、次に前記耳輪２を耳に掛けてマスク１を着用することにより達成する。
【実施例１】
【００１８】  耳輪用カバー３を耳輪２へ装着する方法の一例を図５に示す。本例による装着は、耳輪２を、耳輪用カバー３に設けた軸方向の切り込み５ａまたは隙間５ｂを経由して、耳輪用カバー３の中に親指９で押し込むことにより行う。
【実施例２】
【００１９】  耳輪用カバー３を耳輪２から取り外す方法の一例を図６に示す。本例による取り外しは、耳輪２を、耳輪用カバー３に設けた軸方向の切り込み５ａまたは隙間５ｂを経由して、耳輪用カバー３の中から取り出すことにより行う。
【符号の説明】
【００２０】  １  マスク
２  マスクの耳輪
３  マスクの耳輪用カバー
４  筒状の弾性体
５ａ  筒状の弾性体に設けた軸方向の切り込み
５ｂ  筒状の弾性体に設けた軸方向の隙間
６ａ  筒状の弾性体に設けた周方向の切り込み
６ｂ  筒状の弾性に設けた周方向の隙間
７ａ  耳輪用カバーの両端部付近に設けた曲線形の切り込み
７ｂ  耳輪用カバーの両端部付近に設けた曲線形の隙間
８ａ  耳輪用カバーの両端部付近に設けた折れ線形の切り込み
８ｂ  耳輪用カバーの両端部付近に設けた折れ線形の隙間
９  親指
【図１】
2015051251.tif 000003
【図２】
2015051251.tif 000004
【図３】
2015051251.tif 000005
【図４】
2015051251.tif 000006
【図５】
2015051251.tif 000007
【図６】
2015051251.tif 000008